(57)【要約】【課題】印刷装置にキャッシュドロアーが接続される場合に、印刷装置にキャッシュドロアーが接続されることに対応する処理を実行できるようにする。【解決手段】印刷装置１０と、印刷装置１０に接続可能な制御装置とを備える印刷システム１であって、印刷装置１０は、キャッシュドロアーＣＤが接続されているか否かを判別し、キャッシュドロアーＣＤが接続されていると判別した場合、制御装置から受信した印刷の実行を指示する印刷制御コマンドに暗証情報が含まれ、暗証情報に基づく認証が成功したときに、印刷制御コマンドに基づいて印刷を実行することを特徴とする印刷システム１。【選択図】図２
2017149087.tif 000002
【特許請求の範囲】
【請求項１】
印刷装置と、印刷装置に接続可能な制御装置とを備える印刷システムであって、
前記印刷装置は、
キャッシュドロアーが接続されているか否かを判別し、前記キャッシュドロアーが接続されていると判別した場合、前記制御装置から受信した印刷の実行を指示する印刷制御コマンドに暗証情報が含まれ、前記暗証情報に基づく認証が成功したときに、前記印刷制御コマンドに基づいて印刷を実行する
ことを特徴とする印刷システム。
【請求項２】
前記印刷装置は、
前記印刷装置と通信可能な状態を確立するために必要な情報が記録されたＩＣタグを有し、
前記制御装置は、
前記ＩＣタグに記録された情報を読み取り、読み取った情報に基づいて前記印刷装置と通信可能な状態を確立して前記印刷装置と通信し、前記暗証情報を前記印刷装置に送信し、
前記印刷装置は、
前記制御装置から受信した前記暗証情報を記憶することを特徴とする請求項１に記載の印刷システム。
【請求項３】
前記制御装置は、
前記暗証情報を入力するユーザーインターフェースを提供し、前記ユーザーインターフェースに対する入力に基づいて前記暗証情報を取得し、取得した前記暗証情報を前記印刷装置に送信することを特徴とする請求項２に記載の印刷システム。
【請求項４】
記録媒体に印刷する印刷部と、
デバイスが接続可能であり、接続された前記デバイスと通信するデバイス接続部と、
前記デバイス接続部に前記デバイスとしてキャッシュドロアーが接続されているか否かを判別し、前記キャッシュドロアーが接続されていると判別した場合、外部装置から受信した前記印刷部による印刷を指示する印刷制御コマンドに暗証情報が含まれ、前記暗証情報に基づく認証が成功したときに、前記印刷制御コマンドに基づいて前記印刷部を制御して、前記印刷部に印刷を実行させる印刷装置制御部と、
を備えることを特徴とする印刷装置。
【請求項５】
印刷装置と通信する制御装置通信部と、
前記印刷装置にキャッシュドロアーが接続された状態か否かを判別し、前記キャッシュドロアーが前記印刷装置に接続された状態と判別した場合、前記印刷装置に印刷を指示する印刷制御コマンドに暗証情報を含めて送信する制御装置制御部と、
を備えることを特徴とする制御装置。
【請求項６】
印刷装置が接続可能な制御装置を制御するコンピューターにより実行可能なプログラムであって、
前記制御装置に、
前記印刷装置にキャッシュドロアーが接続された状態か否かを判別させ、前記キャッシュドロアーが前記印刷装置に接続された状態と判別した場合、前記印刷装置に印刷を指示する印刷制御コマンドに暗証情報を含めて送信させる
ことを特徴とするプログラム。
【発明の詳細な説明】
【技術分野】
【０００１】
本発明は、印刷システム、印刷装置、制御装置、及び、プログラムに関する。
【背景技術】
【０００２】
従来、印刷する機能を有する印刷装置（多機能機）と、印刷装置を制御する制御装置とが通信可能に接続された印刷システム（通信システム）が知られている（例えば、特許文献１参照）。印刷システムにおいて、制御装置は、印刷装置を制御して、印刷装置に、印刷、その他の処理を実行させる。
【先行技術文献】
【特許文献】
【０００３】
【特許文献１】特開２０１５−７０５１８号公報
【発明の概要】
【発明が解決しようとする課題】
【０００４】
ここで、特許文献１に係る印刷装置のように、制御装置の制御で印刷を実行する装置には、デバイスが接続可能に構成されたものがある。この種の印刷装置には、デバイスとして様々な種類のデバイスが接続される場合があるが、特に、所定の場合にはデバイスとして、キャッシュドロアーが接続される場合がある。キャッシュドロワーは、現金を収納する機能を有するので、このような機能を有さないデバイスが接続されている場合と比較して、印刷装置の制御について高度なセキュリティーが要求されるが、引用文献１では、印刷装置にキャッシュドロアーが接続され可能性があることについて考慮されていない。
本発明は、上述した事情に鑑みてなされたものであり、印刷装置にキャッシュドロアーが接続される場合に、印刷装置にキャッシュドロアーが接続されることに対応する処理を実行できるようにすることを目的とする。
【課題を解決するための手段】
【０００５】
上記目的を達成するために、本発明は、印刷装置と、印刷装置に接続可能な制御装置とを備える印刷システムであって、印刷装置は、キャッシュドロアーが接続されているか否かを判別し、前記キャッシュドロアーが接続されていると判別した場合、前記制御装置から受信した印刷の実行を指示する印刷制御コマンドに暗証情報が含まれ、前記暗証情報に基づく認証が成功したときに、前記印刷制御コマンドに基づいて印刷を実行することを特徴とする。
本発明の構成によれば、キャッシュドロアーが印刷装置に接続された状態の場合、印刷制御コマンドに含まれる暗証情報に基づく認証が成功しない制御装置によって印刷装置が制御されることを防止できる。すなわち、印刷システムは、印刷装置にキャッシュドロアーが接続されることに対応する処理を実行できる。
【０００６】
また、本発明は、前記印刷装置は、前記印刷装置と通信可能な状態を確立するために必要な情報が記録されたＩＣタグを有し、前記制御装置は、前記ＩＣタグに記録された情報を読み取り、読み取った情報に基づいて前記印刷装置と通信可能な状態を確立して前記印刷装置と通信し、前記暗証情報を前記印刷装置に送信し、前記印刷装置は、前記制御装置から受信した前記暗証情報を記憶することを特徴とする。
本発明の構成によれば、ユーザーは、制御装置により印刷装置が有するＩＣタグを読み取らせるという簡易な作業を行うことにより、制御装置と印刷装置との間で通信可能な状態を確立でき、制御装置から印刷装置に暗証情報を送信させることができる。
【０００７】
また、本発明は、前記制御装置は、前記暗証情報を入力するユーザーインターフェースを提供し、前記ユーザーインターフェースに対する入力に基づいて前記暗証情報を取得し、取得した前記暗証情報を前記印刷装置に送信することを特徴とする。
本発明の構成によれば、ユーザーは、簡易な作業で、印刷装置１０における認証に用いられる暗証情報の登録を行うことができる。
【０００８】
また、上記目的を達成するために、本発明は、記録媒体に印刷する印刷部と、デバイスが接続可能であり、接続された前記デバイスと通信するデバイス接続部と、前記デバイス接続部に前記デバイスとしてキャッシュドロアーが接続されているか否かを判別し、前記キャッシュドロアーが接続されていると判別した場合、外部装置から受信した前記印刷部による印刷を指示する印刷制御コマンドに暗証情報が含まれ、前記暗証情報に基づく認証が成功したときに、前記印刷制御コマンドに基づいて前記印刷部を制御して、前記印刷部に印刷を実行させる印刷装置制御部と、を備えることを特徴とする。
本発明の構成によれば、キャッシュドロアーが印刷装置に接続された状態の場合、印刷制御コマンドに含まれる暗証情報に基づく認証が成功しない外部装置によって印刷装置が制御されることを防止できる。すなわち、印刷装置は、印刷装置にキャッシュドロアーが接続されることに対応する処理を実行できる。
【０００９】
また、上記目的を達成するために、本発明は、印刷装置と通信する制御装置通信部と、前記印刷装置にキャッシュドロアーが接続された状態か否かを判別し、前記キャッシュドロアーが前記印刷装置に接続された状態と判別した場合、前記印刷装置に印刷を指示する印刷制御コマンドに暗証情報を含めて送信する制御装置制御部と、を備えることを特徴とする。
この構成によれば、制御装置は、印刷装置にキャッシュドロアーが接続された状態の場合において、印刷装置に印刷制御コマンドを送信して印刷を実行させる場合、印刷制御コマンドに暗証情報を含めて、暗証情報に基づく認証を実行させることができる。これにより、認証が成功しない制御装置によって印刷装置が制御されることを防止可能となる。すなわち、制御装置は、印刷装置にキャッシュドロアーが接続されることに対応する処理を実行できる。
【００１０】
また、上記目的を達成するために、本発明は、印刷装置が接続可能な制御装置を制御するコンピューターにより実行可能なプログラムであって、前記制御装置に、前記印刷装置にキャッシュドロアーが接続された状態か否かを判別させ、前記キャッシュドロアーが前記印刷装置に接続された状態と判別した場合、前記印刷装置に印刷を指示する印刷制御コマンドに暗証情報を含めて送信させることを特徴とする。
この構成によれば、制御装置は、プログラムを実行することにより、印刷装置にキャッシュドロアーが接続された状態の場合において、印刷装置に印刷制御コマンドを送信して印刷を実行させる場合、印刷制御コマンドに暗証情報を含めて、暗証情報に基づく認証を実行させることができる。これにより、認証が成功しない制御装置によって印刷装置が制御されることを防止可能となる。すなわち、制御装置は、印刷装置にキャッシュドロアーが接続されることに対応する処理を実行できる。
【図面の簡単な説明】
【００１１】
【図１】印刷装置の使用態様を示す図。
【図２】印刷システムの機能的構成を示すブロック図。
【図３】印刷装置、タブレット端末の動作を示すフローチャート。
【図４】暗証情報入力ユーザーインターフェースを示す図。
【図５】制御装置、印刷装置の動作を示すフローチャート。
【発明を実施するための形態】
【００１２】
以下、図面を参照して本発明の実施形態について説明する。
【００１３】
図１は、本実施形態に係る印刷装置１０の使用の態様の一例を示す図である。
図１では、印刷装置１０が、スーパーマーケットや、コンビニエンスストア等の商品を販売する店舗Ｔに設けられた様子を示す。
【００１４】
図１に示すように、店舗Ｔにおいて、出入口の近傍には、載置台ＳＤが設けられ、載置台ＳＤには、印刷装置１０が設けられる。載置台ＳＤに設けられた印刷装置１０は、店舗Ｔに来店した顧客が、商品の購入の際に使用可能なクーポンを発行する際に使用される装置である。
ここで、顧客は、店舗Ｔへの来店時に以下の方法で、印刷装置１０にクーポンを発行させることができる。すなわち、顧客は、自身が所有する携帯電話等の携帯端末１２（制御装置）に、事前に、所定のアプリケーション（プログラム）（以下、「携帯端末側専用アプリケーションＫＡＰ」という。）をインストールする。顧客は、店舗に来店したときに、携帯端末１２の携帯端末側専用アプリケーションＫＡＰを起動し、後述する所定の方法で、載置台ＳＤに設けられた印刷装置１０と携帯端末１２とを無線通信可能な状態とする。携帯端末１２は、携帯端末側専用アプリケーションＫＡＰの機能により、載置台ＳＤに設けられた印刷装置１０と通信し、印刷装置１０にクーポンを発行させる。顧客は、印刷装置１０が発行したクーポンを取得する。
【００１５】
また、図１に示すように、店舗Ｔには、２つのレジカウンターＬＣが設けられる。レジカウンターＬＣは、顧客が会計を行う場所である。各レジカウンターＬＣには、印刷装置１０と、タブレット端末１１（制御装置）とが設けられる。また、印刷装置１０には、キャッシュドロアーＣＤが接続される。
【００１６】
キャッシュドロアーＣＤは、筐体と、筐体に収納可能なトレイとを備える。トレイには、現金を収納する現金収納部が設けられる。
キャッシュドロアーＣＤの筐体にトレイが収納されると、筐体に対してトレイがロックされ、手動では筐体からトレイが引き出すことができない状態となる。キャッシュドロアーＣＤは、印刷装置１０から後述するオープンコマンド（後述）を受信した場合に、ロックを解除し、筐体からトレイを引き出す。筐体から引き出されたトレイは、レジ担当者により、手動で、筐体に収納される。以下の説明において、キャッシュドロアーＣＤの筐体にトレイがロックされていない状態のことを「開状態」という。
【００１７】
レジカウンターＬＣにおける会計時、レジ担当者は、会計に対応する入力をタブレット端末１１に入力する。レジ担当者による会計に対応する入力に応じて、タブレット端末１１は、印刷装置１０を制御して、会計に関する情報が印刷されたレシートを発行させる。印刷装置１０が発行したレシートは、レジ担当者により顧客に引き渡される。また、タブレット端末１１は、印刷装置１０を制御して、所定のタイミングで、キャッシュドロアーＣＤを開状態とさせる。キャッシュドロアーＣＤが開状態となると、キャッシュドロアーＣＤからの現金の取り出し、キャッシュドロアーＣＤへの現金の収納が可能となる。レジ担当者は、開状態のキャッシュドロアーＣＤを利用して、顧客との間で現金のやり取りを行う。
【００１８】
図２は、印刷システム１を構成する各装置の機能的構成を示すブロック図である。
印刷システム１は、印刷装置１０と、印刷装置１０を制御するホストコンピューターとして機能する制御装置（携帯端末１２や、タブレット端末１１等）とを備えるシステムである。図２は、印刷装置１０、タブレット端末１１（制御装置）、及び、携帯端末１２（制御装置）の機能的構成を示すブロック図である。
【００１９】
印刷装置１０は、ロール紙（記録媒体）を収容し、ロール紙にライン型のサーマルヘッドによってドットを形成することにより画像を印刷するラインサーマルプリンターである。
図２に示すように、印刷装置１０は、印刷装置制御部２０と、印刷装置無線通信部２１と、印刷装置記憶部２２と、印刷装置デバイス接続部２３（デバイス接続部）と、印刷部２４と、を備える。
印刷装置制御部２０は、図示しないＣＰＵや、ＲＯＭ、ＲＡＭ、その他周辺回路等を備え、印刷装置１０の各部を制御する。印刷装置制御部２０は、ＣＰＵが、ＲＯＭに記憶されたプログラムを読み出して実行する等、ハードウェアとソフトウェアとに処理を実行する。
印刷装置無線通信部２１は、印刷装置制御部２０の制御で、所定の無線通信規格に従って、制御装置（タブレット端末１１、携帯端末１２を含む。）と通信する。印刷装置１０と、制御装置との間の無線通信規格は、Ｗｉ−Ｆｉ（登録商標）や、Bluetooth（登録商標）等、何でもよい。
印刷装置記憶部２２は、不揮発性メモリーを備え、各種データを記憶する。
【００２０】
印刷装置デバイス接続部２３は、ＵＳＢの規格に従ったポートや、ＵＳＢ以外のシリアル通信規格（ＲＳ２３２Ｃ等）に従ったポート、所定のパラレル通信規格（ＩＥＥＥ１２８４等）に従ったポート、その他の通信規格に従ったポートを有するインターフェースボードを備える。印刷装置デバイス接続部２３は、印刷装置制御部２０の制御で、ポートに接続されたデバイスと、接続されたポートに対応する通信規格に従って通信する。なお、印刷装置デバイス接続部２３が無線通信機能を備え、デバイスと無線通信する構成でもよい。
【００２１】
図２の例では、印刷装置１０の印刷装置デバイス接続部２３に、デバイスとして、キャッシュドロアーＣＤ、バーコードスキャナーＢＳ、及び、カスタマーディスプレーＤＰが接続される。
本実施形態において、レジカウンターＬＣに設けられる印刷装置１０には、デバイスとして、キャッシュドロアーＣＤ、バーコードスキャナーＢＳ、及び、カスタマーディスプレーＤＰが接続される。一方、載置台ＳＤに設けられる印刷装置１０には、デバイスとして、キャッシュドロアーＣＤ、バーコードスキャナーＢＳ、及び、カスタマーディスプレーＤＰは、接続されない。
【００２２】
キャッシュドロアーＣＤは、上述したように、現金を収納する機能を有する装置である。
バーコードスキャナーＢＳは、商品や、商品の包装等に付されたバーコードを読み取り、読取結果を示すデータを印刷装置デバイス接続部２３に出力する。印刷装置デバイス接続部２３は、バーコードスキャナーＢＳから入力されたデータを、印刷装置制御部２０に出力する。
カスタマーディスプレーＤＰは、液晶ディスプレー等の表示装置であり、印刷装置制御部２０で、各種情報を表示する。カスタマーディスプレーＤＰは、カスタマーディスプレーＤＰに表示された情報が、レジカウンターＬＣで会計を行う顧客により視認できる位置に設けられる。
【００２３】
印刷部２４は、印刷装置１０の筐体に収容されたロール紙を搬送する搬送機構や、サーマルヘッドによりロール紙にドットを形成して画像を印刷する印刷機構、カッターによりロール紙を切断する切断機構等を備える。例えば、レシートを発行する場合、印刷部２４は、印刷装置制御部２０の制御で、搬送機構によりロール紙を搬送しつつ、印刷機構のサーマルヘッドによりロール紙にレシートに係る情報を印刷し、切断機構のカッターにより所定の位置でロール紙を切断して、レシートを発行する。
【００２４】
印刷装置１０には、ＩＣタグＴＧが設けられる。例えば、ＩＣタグＴＧは、印刷装置１０の筐体の外側（例えば、筐体の裏面）の所定の位置に接着される。また例えば、ＩＣタグＴＧは、印刷装置１０の筐体に内蔵される。
ＩＣタグＴＧは、後述するタブレット端末ＩＣタグ読取部３４、及び、携帯端末ＩＣタグ読取部４４が送信する無線信号を受信するアンテナを備え、このアンテナに誘起される電力によりＩＣを駆動する受動型のＩＣタグである。ＩＣタグＴＧが通信に使用する近距離無線通信規格は、ＮＦＣ等、何でもよい。
ＩＣタグＴＧに記録されるデータについては後述する。
【００２５】
図２に示すように、タブレット端末１１は、タブレット端末制御部３０（制御装置制御部）と、タブレット端末無線通信部３１（制御装置通信部）と、タブレット端末タッチパネル３２と、タブレット端末記憶部３３と、タブレット端末ＩＣタグ読取部３４と、を備える。
【００２６】
タブレット端末制御部３０は、ＣＰＵや、ＲＯＭ、ＲＡＭ、その他周辺回路等を備え、タブレット端末１１の各部を制御する。
タブレット端末無線通信部３１は、タブレット端末制御部３０の制御で、所定の無線通信規格に従って、印刷装置１０と通信する。
タブレット端末タッチパネル３２は、液晶表示パネル等の表示パネルと、表示パネルに重ねて設けられたタッチセンサーとを備える。表示パネルは、タブレット端末制御部３０の制御で、各種画像を表示する。タッチセンサーは、タッチ操作を検出し、タブレット端末制御部３０に出力する。タブレット端末制御部３０は、タッチセンサーからの入力に基づいて、タッチ操作に対応する処理を実行する。
タブレット端末記憶部３３は、不揮発性メモリーを備え、各種データを記憶する。
【００２７】
タブレット端末ＩＣタグ読取部３４は、ＩＣタグＴＧと近距離無線通信して、ＩＣタグＴＧから、ＩＣタグＴＧに記録されたデータを読み取り、タブレット端末制御部３０に出力する。
タブレット端末ＩＣタグ読取部３４は、ＩＣタグＴＧからデータを読み取る場合、所定周波数の搬送波を送信し、この搬送波に重畳して検出用信号を送信する。タブレット端末ＩＣタグ読取部３４が送信した搬送波によってＩＣタグＴＧのアンテナに起電力が誘起されると、この起電力によりＩＣタグＴＧのＩＣがオンに切り替わり、ＩＣタグＴＧは、検出用信号を受信して、この検出用信号に対して応答する信号を送信する。タブレット端末ＩＣタグ読取部３４は、ＩＣタグＴＧが送信した応答信号を受信すると、搬送波の出力を継続しながら、ＩＣタグＴＧをデータの読み取りの対象として設定し、データの読み取りを開始する旨を通知する信号を送信する。その後、タブレット端末ＩＣタグ読取部３４が搬送波の出力を継続しながら、タブレット端末ＩＣタグ読取部３４とＩＣタグＴＧとの間で所定の近距離無線通信規格に従って無線信号が送受信され、ＩＣタグＴＧに記録されたデータの読み出しが行われる。
【００２８】
携帯端末１２は、タブレット端末１１と同様の機能を有するタブレットタイプの携帯可能な装置（例えば、いわゆるスマートフォン。）である。
図２に示すように、携帯端末１２は、携帯端末制御部４０（制御装置制御部）と、携帯端末無線通信部４１（制御装置通信部）と、携帯端末タッチパネル４２と、携帯端末記憶部４３と、携帯端末ＩＣタグ読取部４４と、を備える。
携帯端末制御部４０はタブレット端末制御部３０に対応する機能ブロックであり、タブレット端末制御部３０と同様の機能を有する。
携帯端末無線通信部４１はタブレット端末無線通信部３１に対応する機能ブロックであり、タブレット端末無線通信部３１と同様の機能を有する。
携帯端末タッチパネル４２はタブレット端末タッチパネル３２に対応する機能ブロックであり、タブレット端末タッチパネル３２と同様の機能を有する。
携帯端末記憶部４３はタブレット端末記憶部３３に対応する機能ブロックであり、タブレット端末記憶部３３と同様の機能を有する。
携帯端末ＩＣタグ読取部４４はタブレット端末ＩＣタグ読取部３４に対応する機能ブロックであり、タブレット端末ＩＣタグ読取部３４と同様の機能を有する。
【００２９】
以下の説明において、タブレット端末１１と、携帯端末１２とを区別しない場合、「制御装置」という。
【００３０】
ところで、印刷装置１０には、デバイスが接続可能であり、特に、デバイスとしてキャッシュドロアーＣＤが接続可能である。そして、キャッシュドロアーＣＤは、現金を収納する機能を有する装置であるため、キャッシュドロアーＣＤが接続された印刷装置１０の制御については高度なセキュリティーが要求される。従って、キャッシュドロアーＣＤが接続された印刷装置１０については、正当な権限を有する特定の者の指示があったときのみ、制御装置による制御に基づいて処理（印刷や、キャッシュドロアーＣＤの制御等）を実行できる構成とする必要がある。
具体的には、本実施形態では、載置台ＳＤに設けられた、キャッシュドロアーＣＤが接続されない印刷装置１０については、顧客を含む不特定の者の指示に応じて、制御装置（例えば、顧客が所有する携帯端末１２）の制御で印刷装置１０が処理を行うことを可能な構成としてもよい。一方、レジカウンターＬＣに設けられた、キャッシュドロアーＣＤが接続された印刷装置１０については、レジ担当者等の正当な権限を有する特定の者の指示があった場合にのみ、制御装置（例えば、レジカウンターＬＣに設けられたタブレット端末１１）の制御で印刷装置１０が処理を実行可能な構成とする必要がある。
以上を踏まえ、印刷装置１０、及び、制御装置は、以下の処理を実行する。
なお、以下では、制御装置がタブレット端末１１であるものとして、各装置の処理について説明する。
【００３１】
正当な権限を有する者は、タブレット端末１１が、印刷装置１０を制御可能となるように、事前に、暗証情報の登録を行う。
以下、正当な権限を有する者がレジ担当者であり、レジ担当者が、１のレジカウンターＬＣに設けられるタブレット端末１１が、当該１のレジカウンターＬＣに設けられる印刷装置１０を制御可能とするために暗証情報の登録を行う場合を例にして、暗証情報の登録に係る印刷装置１０、及び、タブレット端末１１の動作について説明する。
【００３２】
図３は、暗証情報の登録に係る印刷装置１０、及び、タブレット端末１１の動作を示すフローチャートである。
ここで、印刷装置１０は、動作モードとして、暗証情報登録モードと、通常モードとを有する。暗証情報モードと、通常モードとの切り替えは、印刷装置１０が有するディップスイッチ、その他のスイッチに対する操作や、外部装置からの制御コマンドにより実行可能である。ただし、印刷装置１０について、暗証情報登録モードと、通常モードとの間での動作モードの切り替えの方法は、正当な権限を有する者のみに通知され、正当な権限を有する者のみが認識した状態である。
以下の図３を用いた説明において、印刷装置１０の動作モードは、暗証情報登録モードである。すなわち、印刷装置１０は、動作モードが暗証情報登録モードの場合、図３のフローチャートで示す処理を実行する。
【００３３】
印刷装置１０への暗証情報の登録に際し、レジ担当者は、以下の作業を行う。以下の作業は、例えば、印刷装置１０、及び、タブレット端末１１をレジカウンターＬＣに設置する際に行われる。
すなわち、レジ担当者は、タブレット端末１１を起動し、タブレット端末１１にインストールされた専用のアプリケーション（プログラム）（以下、「タブレット端末側専用アプリケーションＳＡＰ」と表現する。）を起動する。さらに、レジ担当者は、印刷装置１０のＩＣタグＴＧと、タブレット端末１１のタブレット端末ＩＣタグ読取部３４との間で近距離無線通信が可能な程度に、タブレット端末１１を印刷装置１０に近接させる（ステップＳ１）。
【００３４】
タブレット端末１１が印刷装置１０に近接すると、タブレット端末１１のタブレット端末ＩＣタグ読取部３４は、印刷装置１０に設けられたＩＣタグＴＧと近距離無線通信し、ＩＣタグＴＧから、ＩＣタグＴＧに記録されたデータを読み取り、タブレット端末制御部３０に出力する（ステップＳＢ１）。
【００３５】
ここで、印刷装置１０に設けられたＩＣタグＴＧには、以下の情報を含むデータが記録される。すなわち、ＩＣタグＴＧには、ＩＣタグＴＧを読み取った装置（本例では、タブレット端末１１）が、印刷装置１０との間で通信経路を確立し、通信経路を介して印刷装置１０と通信可能な状態となるために必要な情報を含むデータが記録される。通信経路の確立とは、ＩＣタグＴＧを読み取った装置と印刷装置１０との間で、データを送受信する論理的な経路が形成され、ＩＣタグＴＧを読み取った装置の所定のプログラムと、印刷装置１０の所定のプログラムとの間で、データの送受信が可能な状態をいう。通信経路は、例えば、通信規格がＴＣＰの場合はＴＣＰコネクションであり、通信規格がBluetoothの場合は無線通信リンクである。
【００３６】
例えば、ＩＣタグＴＧを読み取った装置と、印刷装置１０との間で、Bluetoothに従って通信が行われる場合、ＩＣタグＴＧに記録されたデータに含まれる情報は、Bluetoothアドレス、その他の装置間で無線通信リンクを確立して、無線通信リンクを介してBluetoothに従った通信をするために必要な情報である。
また例えば、ＩＣタグＴＧを読み取った装置と印刷装置１０との間で無線ＬＡＮを介して通信が行われる場合、ＩＣタグＴＧに記録されたデータに含まれる情報は、印刷装置１０のＩＰアドレスや、ＭＡＣアドレス、その他の装置間で無線ＬＡＮ上に通信経路を確立して、通信経路を介して通信をするために必要な情報である。通信経路を介して通信をするために必要な情報とは、アクセスポイントを介してインフラストラクチャーモードで通信する場合はアクセスポイントのＳＳＩＤや、対応するセキュリティーキーを含み、アドホックモードで通信する場合は印刷装置１０のＳＳＩＤや、対応するセキュリティーキーを含む。
【００３７】
タブレット端末制御部３０は、タブレット端末ＩＣタグ読取部３４から入力されたデータに含まれる情報に基づいて、印刷装置１０との間で通信するときに使用する通信規格を決定し、通信規格に対応する通信ポートを開く（ステップＳＢ２）。
次いで、タブレット端末制御部３０は、タブレット端末ＩＣタグ読取部３４から入力されたデータに含まれる情報に基づいて、ステップＳＢ２で開いた通信ポートを介して印刷装置１０との間で通信規格に従った通信経路を確立し、印刷装置１０とタブレット端末１１との間で通信できる状態を確立する（ステップＳＡ１、ステップＳＢ３）。
ステップＳＢ２、及び、ステップＳＢ３の処理は、タブレット端末側専用アプリケーションＳＡＰの機能により行われてもよい。
また、ステップＳＢ２、及び、ステップＳＢ３の処理は、タブレット端末側専用アプリケーションＳＡＰにより呼び出し可能な他のプログラムの機能により行われてもよい。タブレット端末側専用アプリケーションＳＡＰにより呼び出し可能な他のプログラムは、例えば、印刷装置１０のメーカーが提供するソフトウェア開発キット（ＳＤＫ：Software Development Kit）により開発され、ＩＣタグＴＧに記録されたデータに含まれる情報に基づいてステップＳＢ２、及び、ステップＳＢ３の処理を実行する機能が実装されたプログラムである。
【００３８】
タブレット端末１１との間での通信経路の確立に応じて、動作モードが暗証情報登録モードの印刷装置１０の印刷装置制御部２０は、確立された通信経路を介して、タブレット端末１１に対して、暗証情報の送信を要求する情報、及び、印刷装置識別情報を送信する（ステップＳＡ２）。
印刷装置識別情報とは、印刷装置１０を識別する識別情報であり、例えば、シリアル番号を印刷装置識別情報として用いることができる。印刷装置識別情報は、印刷装置１０の所定の記憶領域に記憶される。
【００３９】
タブレット端末制御部３０は、印刷装置１０による暗証情報の送信を要求する情報の受信に応じて、タブレット端末側専用アプリケーションＳＡＰ、その他のプログラムの機能により、タブレット端末タッチパネル３２に、暗証情報入力ユーザーインターフェースＧ４１（ユーザーインターフェース）を表示する（ステップＳＢ４）。
【００４０】
図４は、暗証情報入力ユーザーインターフェースＧ４１を示す図である。
図４に示すように、暗証情報入力ユーザーインターフェースＧ４１は、暗証情報入力欄Ｎ４１を有する。暗証情報入力欄Ｎ４１は、暗証情報を入力可能な入力欄である。暗証情報とは、パスワードのことである。また、暗証情報入力ユーザーインターフェースＧ４１は、暗証情報入力欄Ｎ４１への暗証情報の入力を確定する確定ボタンＢ４１を有する。レジ担当者は、タブレット端末１１のＯＳが提供するソフトウェアキーボードを利用して、暗証情報入力欄Ｎ４１に暗証情報を入力し、確定ボタンＢ４１を操作して入力を確定する（ステップＳ２）。暗証情報入力欄Ｎ４１に入力される暗証情報の値は何でもよいが、例えば、店舗の管理者が決定し、事前に、レジ担当者に通知する。
【００４１】
確定ボタンＢ４１が操作されたことを検出すると、タブレット端末制御部３０は、暗証情報入力欄Ｎ４１に入力された暗証情報を取得する（ステップＳＢ５）。
次いで、タブレット端末制御部３０は、ステップＳＢ５で取得した暗証情報を、印刷装置１０に送信する（ステップＳＢ６）。
次いで、タブレット端末制御部３０は、ステップＳＢ５で取得した暗証情報を、印刷装置１０から受信した印刷装置識別情報と対応付けて、所定の記憶領域に記憶する（ステップＳＢ７）。
次いで、タブレット端末制御部３０は、通信ポートを切断し、印刷装置１０との間で確立された通信経路を切断する（ステップＳＢ８）。
【００４２】
印刷装置１０の印刷装置制御部２０は、ステップＳＢ６でタブレット端末１１が送信した暗証情報を受信する（ステップＳＡ３）。
次いで、印刷装置制御部２０は、ステップＳＡ３で受信した暗証情報を所定の記憶領域に記憶する（ステップＳＡ４）。
【００４３】
以上のように、レジカウンターＬＣに設けられる印刷装置１０等、キャッシュドロアーＣＤが接続される印刷装置１０については、事前に、正当な権限を有する者により暗証情報の登録が行われ、印刷装置１０を制御する制御装置（上記の例ではタブレット端末１１）、及び、印刷装置１０の双方に暗証情報が記憶される。
【００４４】
次に、制御装置が、印刷装置１０を制御して、所定の処理を実行させるときの、制御装置、及び、印刷装置１０の動作について説明する。以下の説明では、適宜、（１）制御装置がタブレット端末１１であり、印刷装置１０にレシートの発行に伴う印刷に係る処理、又は、キャッシュドロアーＣＤの制御に係る処理を実行させる場合と、（２）制御装置が携帯端末１２であり、印刷装置１０にクーポンの発行に伴う印刷に係る処理を実行させる場合とを例にして、制御装置、及び、印刷装置１０の動作について説明する。
【００４５】
制御装置の制御により印刷装置１０に所定の処理を実行させる場合、まず、ユーザーは、以下の方法で、制御装置と、印刷装置１０とを通信可能な状態とする。
すなわち、ユーザーは、制御装置の所定のアプリケーションを起動し、印刷装置１０のＩＣタグと、制御装置の対応する機能ブロックとが近距離無線通信可能な程度に、制御装置を印刷装置１０に近接させる。制御装置の印刷装置１０に対する近接に応じて、制御装置により、図３のフローチャートのステップＳＢ１〜ステップＳＢ３の処理が行われると共に、印刷装置１０により、図３のフローチャートのステップＳＡ１の処理が行われる。これにより、制御装置と印刷装置１０との間で通信経路が確立され、これら装置間でデータの送受信が可能な状態となる。
【００４６】
具体的には、制御装置がタブレット端末１１の場合、レジ担当者（ユーザー）は、タブレット端末１１を、レジカウンターＬＣに設けられた印刷装置１０に近接させる。これにより、タブレット端末１１と、印刷装置１０との間で通信経路が確立され、これら装置間でデータの送受信が可能な状態となる。
レジ担当者は、店舗が開店している間に印刷装置１０にレシートを発行させたり、キャッシュドロアーＣＤを制御させたり、その他の店舗で行われる業務に係る処理を実行させたりするために、例えば店舗の開店前の所定のタイミングで、タブレット端末１１を、レジカウンターＬＣに設けられた印刷装置１０に近接させて、これら装置間に通信経路を確立する。
【００４７】
また、制御装置が携帯端末１２の場合、顧客（ユーザー）は、自身が所有する携帯端末１２を、載置台ＳＤに設けられた印刷装置１０に近接させる。これにより、タブレット端末１１と、印刷装置１０との間で通信経路が確立され、これら装置間でデータの送受信が可能な状態となる。
店舗に来店した顧客は、載置台ＳＤに設けられた印刷装置１０にクーポンを発行させるために、例えば店舗に来店したときに、自身が所有する携帯端末１２を、載置台ＳＤに設けられた印刷装置１０に近接させて、これら装置間に通信経路を確立する。
【００４８】
図５のフローチャートは、印刷装置１０と、制御装置（タブレット端末１１、又は、携帯端末１２）との間で通信経路が確立された後の、印刷装置１０、及び、制御装置の動作を示す。
以下の説明において、タブレット端末１１のタブレット端末制御部３０と、携帯端末１２の携帯端末制御部４０とを区別しない場合、「制御装置制御部」という。また、タブレット端末１１のタブレット端末タッチパネル３２と、携帯端末１２の携帯端末タッチパネル４２とを区別しない場合、「タッチパネル」という。
また、以下の図５を用いた説明において、印刷装置１０の動作モードは、暗証情報登録モードではなく、通常モードである。
また、タブレット端末１１は、図５のフローチャートで示す処理を、タブレット端末側専用アプリケーションＳＡＰ（プログラム）、その他のプログラムを読み出して実行することにより、実行する。携帯端末１２は、図５のフローチャートで示す処理を、携帯端末側専用アプリケーションＫＡＰ（プログラム）、その他のプログラムを読み出して実行することにより、実行する。
【００４９】
図５に示すように、制御装置の制御装置制御部は、印刷装置１０に所定の処理を実行させるか否かを監視する（ステップＳＣ１）。
例えば、制御装置制御部は、ユーザーから所定の手段で、印刷装置１０に所定の処理を実行させる旨の指示があった場合に、ステップＳＣ１において、印刷装置１０に所定の処理を実行させると判別する。
【００５０】
印刷装置１０に所定の処理を実行させる場合（ステップＳＣ１：ＹＥＳ）、制御装置制御部は、印刷装置１０に対して、デバイスとしてキャッシュドロアーＣＤが接続された状態か否かを示す情報の応答を要求する接続状態応答要求情報を送信する（ステップＳＣ２）。
【００５１】
印刷装置１０の印刷装置制御部２０は、接続状態応答要求情報を受信すると、デバイス接続部にキャッシュドロアーＣＤが接続された状態か否かを判別する（ステップＳＤ１）。
印刷装置制御部２０は、ステップＳＤ１の処理を、例えば、以下の方法で実行する。
例えば、キャッシュドロアーＣＤが、特定のポートに接続されることが予め定められた場合、印刷装置制御部２０は、当該特定のポートに接続されたデバイスがあるか否かを判別することにより、キャッシュドロアーＣＤが接続された状態か否かを判別することが可能である。
また例えば、キャッシュドロアーＣＤが、ＵＳＢのように、所定のタイミングでデバイスの識別情報（ＵＳＢの場合はベンダーＩＤ、及び、プロダクトＩＤ）をデバイスが送信するタイプの通信規格に従って接続される場合は、印刷装置制御部２０は、受信したデバイスの識別情報に基づいて、キャッシュドロアーＣＤが接続された状態か否かを判別することが可能である。
また例えば、キャッシュドロアーＣＤが、キャッシュドロアーＣＤが接続された外部装置からの問い合わせに応じて、デバイスの種類を示す情報を応答する機能を有する場合、印刷装置制御部２０は、接続されたデバイスに対して、デバイスの種類を問い合わせ、問い合せに対する応答に基づいて、キャッシュドロアーＣＤが接続された状態か否かを判別することが可能である。
【００５２】
次いで、印刷装置制御部２０は、印刷装置識別情報、及び、ステップＳＤ１の判別結果を示す接続状態情報を制御装置に送信する（ステップＳＤ２）。接続状態情報の値は、ステップＳＤ１でキャッシュドロアーＣＤが接続された状態と判別した場合、キャッシュドロアーＣＤが接続された状態であることを示す値であり、ステップＳＤ１でキャッシュドロアーＣＤが接続された状態でないと判別した場合、キャッシュドロアーＣＤが接続されてない状態であることを示す値である。
【００５３】
接続状態情報を受信すると、制御装置の制御装置制御部は、受信した接続状態情報に基づいて、印刷装置１０にキャッシュドロアーＣＤが接続された状態であるか否かを判別する（ステップＳＣ３）。
印刷装置１０にキャッシュドロアーＣＤが接続された状態でない場合（ステップＳＣ３：ＮＯ）、制御装置制御部は、所定の処理の実行を指示し、暗証情報を含まない制御コマンドを生成する（ステップＳＣ４）。ステップＳＣ４で制御装置制御部が生成する制御コマンドは、複数であってもよい。
例えば、制御装置がタブレット端末１１であり印刷装置１０に印刷（例えば、レシートの発行に伴う印刷）を実行させる場合、制御装置制御部は、印刷の実行を指示する制御コマンド（印刷制御コマンド）を生成する。
また例えば、制御装置がタブレット端末１１であり印刷装置１０にキャッシュドロアーＣＤの制御を実行させる場合、制御装置制御部は、キャッシュドロアーＣＤの制御を指示する制御コマンドを生成する。
また例えば、制御装置が携帯端末１２であり印刷装置１０に印刷（例えば、クーポンの発行に伴う印刷）を実行させる場合、制御装置制御部は、印刷の実行を指示する制御コマンド（印刷制御コマンド）を生成する。
ここで、制御コマンドは、対応する処理の実行を指示するコマンドである。制御コマンドは、暗証情報を記述可能な暗証情報エリアを有する。ステップＳＣ４において、制御装置制御部は、制御コマンド（複数の制御コマンドの場合は、複数の制御コマンドのそれぞれ）の暗証情報エリアの値をヌル値とする。
ステップＳＣ４の処理後、制御装置制御部は、処理手順をステップＳＣ９へ移行する。
【００５４】
印刷装置１０にキャッシュドロアーＣＤが接続された状態の場合（ステップＳＣ３：ＹＥＳ）、制御装置制御部は、所定の記憶領域に、印刷装置１０から受信した印刷装置識別情報と対応付けて暗証情報が記憶された状態か否かを判別する（ステップＳＣ５）。所定の記憶領域に、１の印刷装置識別情報と暗証情報とが対応付けて記憶された状態の場合、当該１の印刷装置識別情報の印刷装置１０について、制御装置を用いて暗証情報の登録が既に行われた状態である。
【００５５】
所定の記憶領域に、印刷装置１０から受信した印刷装置識別情報と対応付けて暗証情報が記憶された状態でない場合（ステップＳＣ５：ＮＯ）、制御装置制御部は、対応する処理を実行する（ステップＳＣ６）。
例えば、ステップＳＣ６において、制御装置制御部は、タッチパネルに、印刷装置１０を制御する権限がないため、印刷装置１０に所定の処理を実行させることができない旨の情報を表示する。
【００５６】
所定の記憶領域に、印刷装置１０から受信した印刷装置識別情報と対応付けて暗証情報が記憶された状態の場合（ステップＳＣ５：ＹＥＳ）、制御装置制御部は、暗証情報を取得する（ステップＳＣ７）。
次いで、制御装置制御部は、暗証情報を含む制御コマンドを生成する（ステップＳＣ８）。
ステップＳＣ８において、制御装置制御部は、制御コマンドのそれぞれの暗証情報エリアに、ステップＳＣ７で取得した暗証情報を記述する。ステップＳＣ８の処理後、制御装置制御部は、処理手順をステップＳＣ９へ移行する。
【００５７】
ステップＳＣ９において、制御装置制御部は、ステップＳＣ４、又は、ステップＳＣ９で生成した制御コマンドを印刷装置１０に送信する。
【００５８】
印刷装置１０の印刷装置制御部２０は、制御コマンドを受信した場合、印刷装置デバイス接続部２３にキャッシュドロアーＣＤが接続された状態か否かを判別する（ステップＳＤ３）。
キャッシュドロアーＣＤが接続された状態ではない場合（ステップＳＤ３：ＮＯ）、印刷装置制御部２０は、受信した制御コマンドに基づいて、対応する処理を実行する（ステップＳＤ４）。
例えば、印刷の実行を指示する制御コマンド（印刷制御コマンド）を受信した場合、ステップＳＤ４において、印刷装置制御部２０は、制御コマンドに基づいて、印刷を実行する。
このように、印刷装置１０にキャッシュドロアーＣＤが接続された状態ではない場合、印刷装置１０の印刷装置制御部２０は、暗証情報を用いた認証を行わず、受信した制御コマンドに基づいて処理を実行する。このため、印刷装置１０にキャッシュドロアーＣＤが接続された状態ではない場合、暗証情報の登録の有無にかかわらず、不特定の制御装置により、印刷装置１０に所定の処理を実行させることができる。従って、載置台ＳＤに設けられた、キャッシュドロアーＣＤが接続されてない印刷装置１０については、任意の顧客が、自身が所有する携帯端末１２の制御により、印刷装置１０にクーポンを発行させることができる。
【００５９】
一方、ステップＳＤ３において、キャッシュドロアーＣＤが接続された状態であると判別した場合（ステップＳＤ３：ＹＥＳ）、印刷装置制御部２０は、制御コマンドに含まれる暗証情報と、暗証情報の登録に応じて所定の記憶領域に記憶した暗証情報とに基づいて、認証を行う（ステップＳＤ５）。ステップＳＤ５において、印刷装置制御部２０は、制御コマンドに含まれる暗証情報の値と、所定の記憶領域に記憶した暗証情報（所定の記憶領域に複数の暗証情報が記憶された状態の場合は、複数の暗証情報のいずれか）の値とが一致する場合、認証に成功したと判別する。
【００６０】
次いで、印刷装置制御部２０は、認証に成功したか否かを判別する（ステップＳＤ６）。
認証に成功した場合（ステップＳＤ６：ＹＥＳ）、印刷装置制御部２０は、受信した制御コマンドに基づいて処理を実行する（ステップＳＤ７）。
認証に失敗した場合（ステップＳＤ６：ＮＯ）、印刷装置制御部２０は、受信した制御コマンドに基づく処理を実行せず、対応する処理を行う（ステップＳＤ８）。例えば、印刷装置制御部２０は、対応する処理として、認証が失敗した旨を制御装置に通知し、制御装置に認証が失敗したことを示す情報を表示させる。
このように、印刷装置１０にキャッシュドロアーＣＤが接続された状態の場合、印刷装置制御部２０は、暗証情報を用いた認証を行い、認証に成功した場合に、受信した制御コマンドに基づく処理を実行する。このため、印刷装置１０にキャッシュドロアーＣＤが接続された状態の場合、正当な権限を有する者により行われた暗証情報の登録に応じて暗証情報が記憶された制御装置のみが印刷装置１０を制御して、印刷装置１０に所定の処理を実行させることができる。従って、レジカウンターＬＣに設けられた、キャッシュドロアーＣＤが接続された印刷装置１０については、暗証情報の登録に応じて暗証情報が記憶されたタブレット端末１１は制御可能であるが、顧客が所有する携帯端末１２は制御できない。
【００６１】
以上説明したように、本実施形態に係る印刷システム１は、印刷装置１０と、印刷装置１０に接続可能な制御装置（タブレット端末１１、携帯端末１２）とを備える。印刷装置１０は、キャッシュドロアーＣＤが接続されているか否かを判別し、キャッシュドロアーＣＤが接続されている場合に制御装置から印刷の実行を指示する印刷制御コマンドを受信した場合、印刷制御コマンドに暗証情報が含まれ、暗証情報に基づく認証が成功したときに、印刷制御コマンドに基づいて印刷を実行する。
この構成によれば、キャッシュドロアーＣＤが印刷装置１０に接続された状態の場合、印刷制御コマンドに含まれる暗証情報に基づく認証が成功しない制御装置によって印刷装置１０が制御されることを防止できる。すなわち、印刷システム１は、印刷装置１０にキャッシュドロアーＣＤが接続されることに対応する処理を実行できる。
【００６２】
また、本実施形態では、印刷装置１０は、印刷装置１０と通信可能な状態を確立するために必要な情報が記録されたＩＣタグＴＧを有する。制御装置は、ＩＣタグＴＧに記録された情報を読み取り可能であり、ＩＣタグＴＧに記録された情報を読み取り、読み取った情報に基づいて印刷装置１０と通信可能な状態を確立して印刷装置１０と通信し、暗証情報を印刷装置１０に送信する。印刷装置１０は、制御装置から受信した暗証情報を記憶する。
この構成によれば、ユーザーは、制御装置により印刷装置１０が有するＩＣタグＴＧを読み取らせるという簡易な作業を行うことにより、制御装置と印刷装置１０との間で通信可能な状態を確立でき、制御装置から印刷装置１０に暗証情報を送信させることができる。
【００６３】
また、本実施形態では、制御装置は、暗証情報を入力する暗証情報入力ユーザーインターフェースＧ４１（ユーザーインターフェース）を提供し、暗証情報入力ユーザーインターフェースＧ４１に対する入力に基づいて暗証情報を取得し、取得した暗証情報を印刷装置１０に送信する。
この構成によれば、ユーザーは、簡易な作業で、印刷装置１０における認証に用いられる暗証情報の登録を行うことができる。
【００６４】
また、本実施形態に係る印刷装置１０は、ロール紙（記録媒体）に印刷する印刷部２４と、デバイスが接続可能であり、接続されたデバイスと通信する印刷装置デバイス接続部２３と、印刷装置デバイス接続部２３にデバイスとしてキャッシュドロアーＣＤが接続されているか否かを判別し、キャッシュドロアーＣＤが接続されていると判別した場合、制御装置（外部装置）から受信した印刷部２４による印刷を指示する印刷制御コマンドに暗証情報が含まれ、暗証情報に基づく認証が成功したときに、印刷制御コマンドに基づいて印刷部２４を制御して、印刷部２４に印刷を実行させる印刷装置制御部２０と、を備える。
この構成によれば、キャッシュドロアーＣＤが印刷装置１０に接続された状態の場合、印刷制御コマンドに含まれる暗証情報に基づく認証が成功しない制御装置によって印刷装置１０が制御されることを防止できる。すなわち、印刷装置１０は、印刷装置１０にキャッシュドロアーＣＤが接続されることに対応する処理を実行できる。
【００６５】
また、本実施形態に係るタブレット端末１１は、印刷装置１０と通信するタブレット端末無線通信部３１（制御装置通信部）と、印刷装置１０にキャッシュドロアーＣＤが接続された状態か否かを判別し、キャッシュドロアーＣＤが印刷装置１０に接続された状態の場合に印刷装置１０に印刷を指示する印刷制御コマンドを送信する場合、印刷制御コマンドに暗証情報を含めて送信するタブレット端末制御部３０（制御装置制御部）と、を備える。
また、本実施形態に係る携帯端末１２は、印刷装置１０と通信する携帯端末無線通信部４１（制御装置通信部）と、印刷装置１０にキャッシュドロアーＣＤが接続された状態か否かを判別し、キャッシュドロアーＣＤが印刷装置１０に接続された状態の場合に印刷装置１０に印刷を指示する印刷制御コマンドを送信する場合、印刷制御コマンドに暗証情報を含めて送信する携帯端末制御部４０（制御装置制御部）と、を備える。
この構成によれば、制御装置は、印刷装置１０にキャッシュドロアーＣＤが接続された状態の場合において、印刷装置１０に印刷制御コマンドを送信して印刷を実行させる場合、印刷制御コマンドに暗証情報を含めて、暗証情報に基づく認証を実行させることができる。これにより、認証が成功しない制御装置によって印刷装置１０が制御されることを防止可能となる。すなわち、制御装置は、印刷装置１０にキャッシュドロアーＣＤが接続されることに対応する処理を実行できる。
【００６６】
なお、上述した実施の形態は、あくまでも本発明の一態様を示すものであり、本発明の範囲内で任意に変形および応用が可能である。
例えば、上述した印刷装置１０の制御方法が、印刷装置１０が備えるコンピューター、又は、印刷装置１０に接続される外部装置を用いて実現される場合、本発明を、当該方法を実現するためにコンピューターが実行するプログラム、このプログラムをコンピューターで読み取り可能に記録した記録媒体、或いは、このプログラムを伝送する伝送媒体の態様で構成することも可能である。上記記録媒体としては、磁気的、光学的記録媒体又は半導体メモリーデバイスを用いることができる。具体的には、フレキシブルディスク、ＨＤＤ（Hard Disk Drive）、ＣＤ−ＲＯＭ（Compact Disk Read Only Memory）、ＤＶＤ（Digital Versatile Disk）、Ｂｌｕ−ｒａｙ（登録商標）Ｄｉｓｃ、光磁気ディスク、フラッシュメモリー、カード型記録媒体等の可搬型の、或いは固定式の記録媒体が挙げられる。また、上記記録媒体は、印刷装置１０や、印刷装置１０に接続された外部装置が備える内部記憶装置であるＲＡＭ（Random Access Memory）、ＲＯＭ（Read Only Memory）、ＨＤＤ等の不揮発性記憶装置でもよい。このことは、制御装置（タブレット端末１１、携帯端末１２）についても同様である。
また例えば、図を用いて説明した各機能ブロックはハードウェアとソフトウェアにより任意に実現可能であり、特定のハードウェア構成を示唆するものではない。
また例えば、上述した実施形態では、印刷装置１０の印刷方式は、サーマル方式であった。しかしながら、印刷装置１０の印刷方式は、例示したものに限らない。
【符号の説明】
【００６７】
１…印刷システム、１０…印刷装置、１１…タブレット端末（制御装置、外部装置）、１２…携帯端末（制御装置、外部装置）、２０…印刷装置制御部、２１…印刷装置無線通信部、２２…印刷装置記憶部、２３…印刷装置デバイス接続部、２４…印刷部、３０…タブレット端末制御部（制御装置制御部）、３１…タブレット端末無線通信部（制御装置通信部）、３２…タブレット端末タッチパネル、３３…タブレット端末記憶部、３４…タブレット端末ＩＣタグ読取部、４０…携帯端末制御部（制御装置制御部）、４１…携帯端末無線通信部（制御装置通信部）、４２…携帯端末タッチパネル、４３…携帯端末記憶部、４４…携帯端末ＩＣタグ読取部、ＢＳ…バーコードスキャナー、ＣＤ…キャッシュドロアー、ＤＰ…カスタマーディスプレー。
【図１】
2017149087.tif 000003
【図２】
2017149087.tif 000004
【図３】
2017149087.tif 000005
【図４】
2017149087.tif 000006
【図５】
2017149087.tif 000007